(57)【要約】 【課題】リセット放電時の暗コントラストをほぼ一定に維持することが出来るＰＤＰ装置を提供する。【解決手段】放電電極にリセット・パルスを印加する駆動部２と、ＰＤＰ１の放電セル１ｃ内で発生されるリセット放電の電流値または電力値を検出する検出部３とを備え、駆動部２が、検出部３から入力される電流値または電力値を示す検出信号に基づいて、放電セル１ｃ内で所定の電流値または電力値を有するリセット放電を発生させるのに必要なリセット・パルスの電圧値を演算する制御部２Ａと、この制御部２Ａによって演算された電圧値を有するリセット・パルスを生成するリセット・パルス生成回路２Ｃを有している。【選択図】図３
2010008694.tif 000002
【特許請求の範囲】
【請求項１】
放電空間を介して一対の基板が対向され、この一対の基板の間に放電電極が配置されているとともに、この放電空間に複数の放電セルが形成されているプラズマディスプレイパネルを備え、このプラズマディスプレイパネルの前記放電セル内において前記放電電極によって前記放電セルの初期化を行うリセット放電が発生されるプラズマディスプレイ装置であって、
前記放電電極に接続されてこの放電電極に前記リセット放電を発生させるためのリセット・パルスを印加する駆動部と、この駆動部と前記放電空間に形成された任意の放電セルとに接続されてこの放電セル内で発生される前記リセット放電の電流値または電力値を検出してその値を示す検出信号を前記駆動部に出力する検出部とを備え、
前記駆動部が、前記検出部から入力される電流値または電力値を示す前記検出信号に基づいて、前記放電セル内で所定の電流値または電力値を有する前記リセット放電を発生させるのに必要なリセット・パルスの電圧値を演算する制御手段と、この制御手段によって演算された電圧値を有するリセット・パルスを生成するパルス生成手段とを有している、
ことを特徴とするプラズマディスプレイ装置。
【請求項２】
前記パルス発生手段が、前記リセット・パルスの電源の電圧を制御手段によって演算された値に設定する電源回路と、この電源回路から供給される電源によって前記放電電極に印加する前記リセット・パルスを生成するパルス生成回路とを有していることを特徴とする請求項１に記載のプラズマディスプレイ装置。
【請求項３】
前記プラズマディスプレイパネルの駆動開始時にこのプラズマディスプレイパネルにおいて輝度レベルがゼロの黒表示が行われ、この黒表示が行われている時に、前記検出部が前記放電セル内で発生される前記リセット放電の電流値または電力値を検出することを特徴とする請求項１に記載のプラズマディスプレイ装置。
【請求項４】
前記放電電流または放電電力の所定の値が、プラズマディスプレイパネルの製造時の初期値であることを特徴とする請求項１に記載のプラズマディスプレイ装置。
【請求項５】
前記リセット放電の電流値または電力値を検出する任意の放電セルが、プラズマディスプレイパネルの表示領域または非表示領域に位置する放電セルであることを特徴とする請求項１に記載のプラズマディスプレイ装置。
【請求項６】
前記リセット放電の電流値または電力値を検出する任意の放電セルが、前記リセット放電が発生する全ての放電セルであることを特徴とする請求項１に記載のプラズマディスプレイ装置。
【請求項７】
前記放電電極に電位が時間経過に伴い徐々に増加する前記リセット・パルスを印加することによって前記リセット放電を発生させることを特徴とする請求項１に記載のプラズマディスプレイ装置。
【請求項８】
前記プラズマディスプレイパネルと駆動部に接続され、プラズマディスプレイパネルの累積使用時間を計数してその計数値を示すデータを駆動部に出力する累積使用時間計数部をさらに備え、前記駆動部の制御手段が、前記放電セル内で発生させようとする前記リセット放電の放電電流または放電電力の前記所定の値を、前記累積使用時間計数部から入力された計数値のデータに基づいてこの計数値に対応する値に変更することを特徴とする請求項２に記載のプラズマディスプレイ装置。
【請求項９】
放電空間を介して一対の基板が対向され、この一対の基板の間に放電電極が配置されているとともに、この放電空間に複数の放電セルが形成されているプラズマディスプレイパネルを備え、このプラズマディスプレイパネルの前記放電セル内において前記放電電極によって前記放電セルの初期化を行うリセット放電が発生されるプラズマディスプレイ装置の駆動方法であって、
前記放電セルのうちの任意の放電セル内で発生される前記リセット放電の電流値または電力値を検出し、この検出された前記リセット放電の電流値または電力値に基づいて、前記放電セル内で所定の電流値または電力値を有する前記リセット放電を発生させるのに必要なリセット・パルスの電圧値を演算し、この演算された電圧値を有するリセット・パルスを生成して前記放電電極に印加することを特徴とするプラズマディスプレイ装置の駆動方法。
【請求項１０】
前記プラズマディスプレイパネルの駆動開始時にこのプラズマディスプレイパネルにおいて輝度レベルがゼロの黒表示を行い、この黒表示が行われている時に、前記放電セル内で発生される前記リセット放電の電流値または電力値を検出することを特徴とする請求項９に記載のプラズマディスプレイ装置の駆動方法。
【請求項１１】
前記リセット放電の電流値または電力値の検出を、プラズマディスプレイパネルの表示領域または非表示領域に位置する放電セルにおいて行うことを特徴とする請求項９に記載のプラズマディスプレイ装置の駆動方法。
【請求項１２】
前記リセット放電の電流値または電力値の検出を、前記リセット放電が発生する全ての放電セルにおいて行うことを特徴とする請求項９に記載のプラズマディスプレイ装置の駆動方法。
【請求項１３】
前記プラズマディスプレイパネルの累積使用時間を計数し、この累積使用時間の計数値に基づいて、前記放電セル内で発生させようとするリセット放電の放電電流または放電電力の前記所定の値を計数値に対応する値に変更することを特徴とする請求項９に記載のプラズマディスプレイ装置の駆動方法。
【請求項１４】
前記放電電極に電位が時間経過に伴い徐々に増加する前記リセット・パルスを印加することによって前記リセット放電を発生させることを特徴とする請求項９に記載のプラズマディスプレイ装置の駆動方法。
【発明の詳細な説明】
【技術分野】
【０００１】
この発明は、プラズマディスプレイ装置の構成およびこのプラズマディスプレイ装置の駆動方法に関する。
【背景技術】
【０００２】
一般に、プラズマディスプレイパネル（以下、ＰＤＰという）は、パネル面を構成する前面ガラス基板の背面側に、行方向に延び列方向に並設された複数の行電極対とこの行電極対を被覆する誘電体層が形成され、この前面ガラス基板に放電ガスが封入された放電空間を介して対向される背面ガラス基板の内面側に、列方向に延び行方向に並設された複数の列電極とこの列電極を被覆する列電極保護層が形成され、放電空間の行電極対と列電極がそれぞれ交差する部分に、パネル面に沿ってマトリクス状に配置された放電セルが形成され、そして、この各放電セル内にそれぞれ赤，緑，青に色分けされた蛍光体層が形成された構成を備えている。
【０００３】
このような構成を有するＰＤＰを備えたＰＤＰ装置における画像表示は、以下のようにして行われる。
【０００４】
図１は、ＰＤＰ装置をサブフィールド法によって駆動した際の１サブフィールドにおける各電極に印加される電圧パルスのタイミングチャートを示している。
この図１において、１サブフィールドは、リセット放電期間Ｒｃと、アドレス放電期間Ｗｃ，サステイン放電期間Ｉｃによって構成されている。
【０００５】
そして、先ず、リセット放電期間Ｒｃに、各行電極対を構成する一対の行電極Ｘ1〜ＸnとＹ1〜Ｙnにリセット・パルスＲＰｘとＲＰｙが印加されて、各放電セルにおいて行電極Ｘ1〜ＸnとＹ1〜Ｙn間に一斉にリセット放電が発生される。
【０００６】
このリセット放電によって、全放電セルにおいて、行電極対を被覆する誘電体層の各放電セルに対向している部分の全てに壁電荷が形成、または、壁電荷が全て消去されることにより、全放電セルの初期化が行われる。
【０００７】
次のアドレス放電期間Ｗｃに、行電極対の一方の行電極Ｙ1〜Ｙnにスキャン・パルスＳＰが順次印加されるとともに、列電極Ｄ1〜Ｄmに選択的に映像信号の画像データに対応したデータ・パルスが印加され、このデータ・パルスが印加された列電極Ｄ1〜Ｄmと行電極Ｙ1〜Ｙnの間で選択的にアドレス放電が発生されることにより、このアドレス放電が発生された放電セルに対向している部分の誘電体層の壁電荷が消去（または、誘電体層に壁電荷が形成）されて、表示する画像に対応してパネル面に発光セルと非発光セルが分布される。
【０００８】
そして、次のサステイン放電期間Ｉｃに、各行電極対の行電極Ｘ1〜ＸnとＹ1〜Ｙnに対して交互にサステイン・パルスが印加され、このサステイン・パルスが印加される毎に各発光セル内においてサステイン放電が発生されて、各発光セル内に形成されている赤，緑，青の蛍光体層がそれぞれ発光することによって、パネル面に、マトリクス表示による画像が形成される。
【０００９】
上述したように、ＰＤＰ駆動時のサブフィール法における各１サブフィールドにおいて最初にリセット放電期間Ｒｃを設けてリセット放電を発生させるのは、全放電セルを初期化してその状態を均一にするとともにプライミング粒子を発生させて、それ以後のアドレス放電やサステイン放電を安定させるためである。
【００１０】
そして、リセット放電による発光は、パネル面の黒輝度（輝度レベルがゼロの時の輝度）を形成して、ＰＤＰの暗コントラストを大きく左右する。
ここで、一般に、ＰＤＰの放電セル内において発生される上記の各放電、特にリセット放電の放電強度等の放電特性は、温度によって変化したり、ＰＤＰの継続的な使用によって経時的に変化する。
この温度変化やＰＤＰの経時的変化によって、リセット放電の放電強度が変化すると、パネル面の黒輝度が変化して暗所コントラストが低下し、表示映像の品質が低下する。
【００１１】
従来のＰＤＰ装置には、放電セルの他にパネルの表示領域の外側にダミーセルを設けて、このダミーセルにおける放電電流等の放電特性を検出し、この検出した放電特性の初期状態からの変化が一定値以上になった場合には、リセット・パルスの印加回数を増加させたり、リセット・パルスの立ち上がりを緩やかにする等の方法によって放電特性の変化を抑制しようとするものがある（例えば、特許文献１参照）。
【００１２】
しかしながら、この従来のＰＤＰ装置においては、リセット・パルスの印加回数や立ち上がりを変化させる際に、その変化点において１フィールドにおけるリセット・パルスの印加の様態が大きく変わるため、その変化の前後でパネル面の暗コントラストが大きく変化して表示映像の品質を悪化させてしまうという問題点を有している。
【００１３】
【特許文献１】特開２００７−８６２９４号公報
【発明の開示】
【発明が解決しようとする課題】
【００１４】
この発明は、上記のような従来のＰＤＰ装置が有する問題点を解決することをその技術的課題の一つとしている。
【課題を解決するための手段】
【００１５】
第１の発明（請求項１に記載の発明）によるプラズマディスプレイ装置は、上記目的を達成するために、放電空間を介して一対の基板が対向され、この一対の基板の間に放電電極が配置されているとともに、この放電空間に複数の放電セルが形成されているプラズマディスプレイパネルを備え、このプラズマディスプレイパネルの前記放電セル内において前記放電電極によって前記放電セルの初期化を行うリセット放電が発生されるプラズマディスプレイ装置であって、前記放電電極に接続されてこの放電電極に前記リセット放電を発生させるためのリセット・パルスを印加する駆動部と、この駆動部と前記放電空間に形成された任意の放電セルとに接続されてこの放電セル内で発生される前記リセット放電の電流値または電力値を検出してその値を示す検出信号を前記駆動部に出力する検出部とを備え、前記駆動部が、前記検出部から入力される電流値または電力値を示す前記検出信号に基づいて、前記放電セル内で所定の電流値または電力値を有する前記リセット放電を発生させるのに必要なリセット・パルスの電圧値を演算する制御手段と、この制御手段によって演算された電圧値を有するリセット・パルスを生成するパルス生成手段とを有していることを特徴としている。
【００１６】
第２の発明（請求項９に記載の発明）によるプラズマディスプレイ装置の駆動方法は、前記目的を達成するために、放電空間を介して一対の基板が対向され、この一対の基板の間に放電電極が配置されているとともに、この放電空間に複数の放電セルが形成されているプラズマディスプレイパネルを備え、このプラズマディスプレイパネルの放電セル内において放電電極によって放電セルの初期化を行うリセット放電が発生されるプラズマディスプレイ装置の駆動方法であって、前記放電セルのうちの任意の放電セル内で発生されるリセット放電の電流値または電力値を検出し、この検出されたリセット放電の電流値または電力値に基づいて、放電セル内で所定の電流値または電力値を有するリセット放電を発生させるのに必要なリセット・パルスの電圧値を演算し、この演算された電圧値を有するリセット・パルスを生成して放電電極に印加することを特徴としている。
【発明を実施するための最良の形態】
【００１７】
この発明は、放電空間を介して対向される一対の基板およびこの一対の基板の間に配置された放電電極，この放電空間に形成された複数の放電セルを有するＰＤＰと、放電電極に接続されてこの放電電極に放電セルを初期化するリセット放電を発生させるためのリセット・パルスを印加する駆動部と、この駆動部と放電空間に形成された任意の放電セルとに接続されてこの放電セル内で発生されるリセット放電の電流値または電力値を検出してその値を示すデータを駆動部に出力する検出部とを備え、駆動部が、検出部から入力される電流値または電力値を示すデータに基づいて、放電セル内で所定の電流値または電力値を有するリセット放電を発生させるのに必要なリセット・パルスの電圧値を演算する制御手段と、この制御手段によって演算された電圧値を有するリセット・パルスを生成するパルス生成手段とを有しているＰＤＰ装置をその最良の実施形態としている。
【００１８】
上記リセット放電の電流値または電力値を検出する任意の放電セルは、プラズマディスプレイパネルの表示領域または非表示領域に位置する何れかまたはリセット放電が発生する全ての放電セルである。
【００１９】
この実施形態のＰＤＰ装置は、検出部によって放電セルのうちの任意の放電セル内で発生されるリセット放電の電流値または電力値が検出され、駆動部の制御手段が、検出部によって検出されたリセット放電の電流値または電力値に基づいて、放電セル内で所定の電流値または電力値を有するリセット放電を発生させるのに必要なリセット・パルスの電圧値の演算を行い、パルス生成手段が制御手段によって演算された電圧値を有するリセット・パルスを生成して放電電極に印加する。
【００２０】
上記ＰＤＰ装置によれば、ＰＤＰ装置の駆動時にリセット放電の電流値が検出されて、この検出した放電電流値または放電電力値が例えばＰＤＰ装置の製造時の初期値等の所定の値と異なっている場合には、これ以降に発生されるリセット放電の電流値または電力値が所定の値とほぼ同じ大きさになるようにＰＤＰに印加されるリセット・パルスの電圧値が変更されるので、例えば経時的変化や温度変化によってＰＤＰの製造時当初の放電特性が変化しているような場合でも、リセット放電の放電強度が常にほぼ一定に保持されて、リセット放電によって形成されるパネルの暗コントラストが一定なり、ＰＤＰにおける画像の高い表示品質を維持することが出来るようになる。
【００２１】
上記実施形態において、パルス発生手段が、リセット・パルスの電源の電圧を制御手段によって演算された値に設定する電源回路と、この電源回路から供給される電源によって放電電極に印加するリセット・パルスを生成するパルス生成回路とを有するようにするのが好ましく、これによって、適正な制御を行うことができる。
【００２２】
さらに、前記の実施形態において、ＰＤＰの駆動開始時に輝度レベルがゼロの黒表示が行われ、この黒表示が行われている時に検出部によって放電セル内で発生されるリセット放電の電流値または電力値が検出されるようにするのが好ましい。
【００２３】
これによって、このリセット放電の電流値または電力値を、画像が静止しているばらつきのない安定した状態で検出することが出来、安定した表示画像の品質保持を行うことができるようになる。
さらに、前記の実施形態において、発生させようとするリセット放電の所定の電流値または電力値をＰＤＰの製造時の初期値に設定するのが好ましい。
これによって、リセット放電の放電強度をＰＤＰの製造時とほぼ同じ大きさに維持することが出来る。
さらに前記の実施形態において、放電電極に電位が時間経過に伴い徐々に増加するリセット・パルスを印加することによってリセット放電を発生させるようにするのが好ましい。
【００２４】
このように、リセット・パルスの立ち上がりが時間経過に伴いその電位が徐々に変化することによって、リセット放電を微弱化することが出る。
さらに、前記実施形態において、ＰＤＰの累積使用時間を計数する累積使用時間計数部をさらに備え、この累積使用時間計数部による計数値に基づいて、放電セル内で発生させようとするリセット放電の電流または電力の所定の値を計数値に対応する値に変更するようにするのが好ましい。
【００２５】
これによって、ＰＤＰの累積使用時間が長くなって蛍光体層等の経時的劣化が生じるような場合でも、この累積使用時間に対応してリセット放電時の放電強度が変更されるので、リセット放電時の黒輝度をほぼ一定の値に維持することが可能になる。
【００２６】
この発明は、さらに、ＰＤＰの放電セルのうちの任意の放電セル内で発生されるリセット放電の電流値または電力値を検出し、この検出されたリセット放電の電流値または電力値に基づいて、放電セル内で所定の電流値または電力値を有するリセット放電を発生させるのに必要なリセット・パルスの電圧値を演算し、この演算された電圧値を有するリセット・パルスを生成して放電電極に印加するＰＤＰ装置の駆動方法をその最良の実施形態としている。
【００２７】
上記リセット放電の電流値または電力値を検出する任意の放電セルは、プラズマディスプレイパネルの表示領域または非表示領域に位置する何れかまたはリセット放電が発生する全ての放電セルである。
【００２８】
このＰＤＰ装置の駆動方法によれば、ＰＤＰ装置の駆動時にリセット放電の電流値が検出されて、この検出した電流値または電力値が例えばＰＤＰ装置の製造時の初期値等の所定の値と異なっている場合には、これから発生されるリセット放電の電流値または電力値が所定の値と同じ大きさになるようにＰＤＰに印加されるリセット・パルスの電圧値が変更されるので、例えば経時的変化や温度変化によってＰＤＰの製造時当初の放電特性が変化しているような場合でも、リセット放電の放電強度が常にほぼ一定に保持されて、リセット放電によって形成されるパネルの暗コントラストが一定なり、ＰＤＰにおける画像の高い表示品質を維持することが出来るようになる。
【００２９】
前記の実施形態において、放電電極に電位が時間経過に伴い徐々に増加するリセット・パルスを印加することによってリセット放電を発生させるようにするのが好ましい。
このように、リセット・パルスの立ち上がりが時間経過に伴いその電位が徐々に変化することによって、リセット放電を微弱化することが出る。
さらに、前記の実施形態において、ＰＤＰの累積使用時間を計数し、この累積使用時間の計数値に基づいて、放電セル内で発生させようとするリセット放電の電流または放電電力の所定の値を計数値に対応する値に変更するようにするのが好ましい。
【００３０】
これによって、ＰＤＰ装置の累積使用時間が長くなって蛍光体層等の経時的劣化が生じるような場合でも、この累積使用時間に対応してリセット放電時の放電強度が変更されるので、リセット放電時の黒輝度をほぼ一定の値に維持することが出来る。
【実施例１】
【００３１】
図２ないし４は、この発明によるＰＤＰ装置の実施形態における第１実施例を示すブロック図である。
図２において、ＰＤＰ装置は、ＰＤＰ１と、このＰＤＰ１の駆動制御を行う駆動部２と、ＰＤＰ１において放電が発生される際の放電電流の電流値を測定する電流検出部３とを備えている。
【００３２】
ＰＤＰ１は、パネル面を構成する前面ガラス基板およびこの前面ガラス基板に放電空間を介して平行に対向される背面ガラス基板と、前面ガラス基板の背面側に形成されて行方向に延び列方向に並設された複数の行電極対およびこの行電極対を被覆する誘電体層と、背面ガラス基板の内面側に形成されて列方向に延び行方向に並設された複数の列電極およびこの列電極を被覆する列電極保護層を有し、放電空間の行電極対と列電極がそれぞれ交差する部分に、パネル面に沿ってマトリクス状に配置された放電セルが形成されていて、この各放電セル内にそれぞれ赤，緑，青に色分けされた蛍光体層が形成された構成を備えている。
【００３３】
駆動部２は、ＰＤＰ１の各行電極および列電極に接続されて、図１に示されているのと同様の電圧パルスをそれぞれ行電極と列電極に印加して、ＰＤＰ１に表示画像を形成させるとともに、後述するような制御によって、ＰＤＰ１の駆動制御を行う。
この駆動部２の構成については、後で詳述する。
【００３４】
電流検出部３は、駆動部２とＰＤＰ１の任意の放電セル１ｃに接続されて、この放電セル１ｃ内において発生される放電の電流値の検出を行って、検出した電流値データを駆動部２に出力する。
【００３５】
なお、この電流検出部３による放電電流値の検出対象となる放電セル１ｃは、少なくとも１つあればよく、ＰＤＰ１の表示流域内に位置する表示セルであっても非表示流域内に位置するダミー・セルであっても良い。また、リセット放電が発生する全ての放電セルを放電電流値の検出対象としてもよい。
【００３６】
図３は、駆動部２の構成を示すブロック図である。
この図３において、駆動部２は、制御部２Ａとリセット・パルス電源回路２Ｂ，リセット・パルス生成回路２Ｃを備えている。
【００３７】
制御部２Ａは、電流検出部３とリセット・パルス電源回路２Ｂに接続されているとともに、後述するような変換関数データを予め保持しており、この変換関数データに基づいて、電流検出部３から入力される放電電流値データからリセット・パルスの目標電圧値の演算を行い、その演算値設定信号をリセット・パルス電源回路２Ｂに出力する。
この制御部２Ａが保持している変換関数データについては、後で詳述する。
【００３８】
リセット・パルス電源回路２Ｂは、制御部２Ａとリセット・パルス生成回路２Ｃに接続されており、リセット・パルス生成回路２Ｃに電源の供給を行うとともに、制御部２Ａから入力されてくるリセット・パルスの目標電圧値の演算値設定信号に基づいてリセット・パルス生成回路２Ｃに供給する電源の電圧値の設定を行う。
【００３９】
リセット・パルス生成回路２Ｃは、リセット・パルス電源回路２ＢとＰＤＰ１の各行電極に接続されていて、リセット・パルス電源回路２Ｂにおいて設定された電圧のリセット・パルスａを、リセット放電期間における所定のタイミングで各行電極に印加する（図１参照）。
【００４０】
なお、リセット・パルスａの波形としては、矩形波に比べてその立ち上がりが緩やかな波形とすることにより、リセット放電を微弱化する。例えば、図１の様に、その立ち上がりの傾きが時間経過と共に徐々に変化する形態でもよく、又はその立ち上がりがランプ波形であってもよい。すなわち、リセット・パルスａは、その立ち上がりが時間経過に伴いその電位が徐々に変化する形態とする。
【００４１】
図４は、制御部２Ａが保持しているリセット・パルス目標電圧値の変換関数データを説明するためのグラフであり、直線グラフＤが変換関数データの概念を模式的に表している。
この変換関数データによって示される変換関数は、リセット放電の電流値がＰＤＰ装置において設定されている値になるように、リセット・パルス電源回路２Ｂからリセット・パルス生成回路２Ｃに出力されるリセット・パルスａの電源電圧を設定する関数である。
【００４２】
すなわち、この変換関数は、電流検出部３によって検出されたリセット放電電流値が小さい場合にはリセット・パルス電源回路２Ｂから出力される電源電圧が大きくなり、リセット放電電流値が大きい場合には電源電圧が小さくなるように、リセット・パルスａの目標電圧値の設定を行う。
【００４３】
以下、この図４を参照しながら、上記ＰＤＰ装置の作動について説明を行う。
なお、以下においては、ＰＤＰ装置の製造時の初期状態において、ＰＤＰ１に電圧値Ｖｂのリセット・パルスａが印加されたときに（以下、この電圧値を初期電圧値Ｖｂという）、電流値Ｉｂのリセット放電が発生される（以下、この電流値を初期電流値Ｉｂという）ものとして説明を行う。
【００４４】
このＰＤＰ装置は、電源がオンにされた後、電流検出部３が、ＰＤＰ１の放電電流値検出対象の放電セル１ｃにおいて発生されるリセット放電の電流値の検出を行う。
このリセット放電の電流値の検出は、このリセット放電電流値が前のフィールドにおいて行われたサステイン放電の様態、すなわち、ＰＤＰ１に表示された画像によってばらつく場合があるため、表示される画像が静止して安定しているときに行われるようにするのが好ましい。
【００４５】
一般に、ＰＤＰ装置においては、電源がオンにされた直後は、装置内における信号処理等の関係で全面黒表示が行われる場合が多い。
【００４６】
このため、この実施例においては、ＰＤＰ装置の電源がオンにされた直後の一定時間にＰＤＰ１において全面黒表示が行われ、この全面黒表示期間に、電流検出部３によって、放電セル１ｃにおいて発生されたリセット放電の電流値の検出が行われる。
【００４７】
この電流検出部３によって検出されたリセット放電電流値の検出信号ｂは、駆動部２の制御部２Ａに入力される。
駆動部２の制御部２Ａは、入力されてくるリセット放電電流値の検出信号ｂから、保持している変換関数データに基づいてリセット・パルスａの目標電圧値の演算を行う。
【００４８】
このリセット・パルス目標電圧値の演算は、以下のようにして行われる。
すなわち、図４において、駆動部２の制御部２Ａは、電流検出部３から入力されてくるリセット放電電流値の検出信号ｂが示す電流値が、前述した初期電流値Ｉｂとほぼ同一である場合には、リセット・パルスａの目標電圧値を初期電圧値Ｖｂのまま維持する。
【００４９】
電流検出部３から入力されてくるリセット放電電流値の検出信号ｂが示す電流値が初期電流値Ｉｂよりも小さい例えば電流値Ｉａである場合には、これはＰＤＰ１の経時的変化や温度変化による放電特性の変化によって前述した初期状態よりも強度の小さいリセット放電が発生したことを示しているので、制御部２Ａは、変換関数を示す図４の直線グラフＤに基づいて演算を行い、リセット・パルス目標電圧値を初期電圧値Ｖｂよりも大きい電圧値Ｖａに設定する。
【００５０】
このリセット・パルス目標電圧値Ｖａは、電流検出部３によるリセット放電電流値の検出後にＰＤＰ１に電圧値Ｖａのリセット・パルスａが印加された際に、初期電流値Ｉｂとほぼ同じ値の電流値を有するリセット放電が発生される大きさの値である。
【００５１】
電流検出部３から入力されてくるリセット放電電流値の検出信号ｂが示す電流値が初期電流値Ｉｂよりも大きい例えば電流値Ｉｃである場合には、これはＰＤＰ１の経時的変化や温度変化による放電特性の変化によって前述した初期状態よりも強度の大きいリセット放電が発生したことを示しているので、制御部２Ａは、変換関数を示す直線グラフＤに基づいて演算を行い、リセット・パルス目標電圧値を初期電圧値Ｖｂよりも小さい電圧値Ｖｃに設定する。
【００５２】
このリセット・パルス目標電圧値Ｖｃは、電流検出部３によるリセット放電電流値の検出後にＰＤＰ１に電圧値Ｖｃのリセット・パルスａが印加された際に、初期電流値Ｉｂとほぼ同じ値の電流値を有するリセット放電が発生される大きさの値である。
【００５３】
制御部２Ａにおいて上記のようにして演算されたリセット・パルス目標電圧値を示す演算値設定信号ｃは、リセット・パルス電源回路２Ｂに出力される。
【００５４】
リセット・パルス電源回路２Ｂは、この制御部２Ａから入力される演算値設定信号ｃに基づいてリセット・パルス生成回路２Ｃに供給する電源の電圧値を演算値設定信号ｃが示す値に設定して、リセット・パルス生成回路２Ｃへの電源ｄの供給を行う。
【００５５】
リセット・パルス生成回路２Ｃは、リセット・パルス電源回路２Ｂから供給される電源ｄに基づいてリセット・パルスａを生成して、図１に示されるようなリセット放電期間における所定のタイミングでＰＤＰ１の各行電極に印加し、全放電セルにおいてリセット放電を一斉に発生させる。
【００５６】
以上のように、上記のＰＤＰ装置によれば、ＰＤＰ装置の電源がオンされる毎にリセット放電の放電電流値が検出されて、この検出した放電電流値がＰＤＰ装置の製造時の初期値と異なっている場合には、リセット放電の電流値が初期値と同じ大きさになるようにＰＤＰ１に印加されるリセット・パルスａの電圧値が変更されるので、例えば経時的変化や温度変化によってＰＤＰ１の製造時当初の放電特性が変化している場合でも、リセット放電の電流値がほぼ一定に保持される。
【００５７】
これによって、このＰＤＰ装置は、リセット放電の放電強度が常にほぼ一定になり、リセット放電によって形成されるパネルの暗コントラストが一定なって、ＰＤＰ１における画像の高い表示品質を維持することが出来るようになる。
【００５８】
そして、このＰＤＰ装置は、電源がオンされる毎にリセット放電の電流値を検出して放電強度がほぼ一定になるようにリセット・パルスａの電圧値を変更するので、その時点で最適なリセット・パルスａの電圧値を設定することが出来る。
【００５９】
さらに、このＰＤＰ装置は、リセット放電の電流値の検出を電源がオンされた直後の全面黒表示期間に行うようになっていることによって、ばらつきのない安定した放電電流値の検出を行うことが出来、これによって、安定した表示画像の品質保持を行うことができる。
【００６０】
なお、上記の実施例においては、リセット放電の電流値を検出してこのリセット放電電流値が一定になるようにリセット・パルスａの電圧値を変更する制御を行ったが、リセット放電の電力値を検出してこのリセット放電電力値が一定になるようにリセット・パルスａの電圧値を変更する制御を行うようにしても良い。
【００６１】
さらに、上記の実施例においては、リセット放電の電流値または電力値が、所要の範囲の値に維持されるようにしても良い。
【実施例２】
【００６２】
図５および６は、この発明によるＰＤＰ装置の実施形態における第２実施例を示すブロック図である。
この第２実施例によるＰＤＰ装置は、第１実施例によるＰＤＰ装置の構成に加えて、ＰＤＰの累積使用時間計数部を備えた構成になっている。
【００６３】
なお、図５および６において、第１実施例のＰＤＰ装置の構成と同じ構成の部分については、図２および３と同じ符号が付されている。
【００６４】
図５および６において、ＰＤＰ装置は、ＰＤＰ１と、このＰＤＰ１の駆動制御を行う駆動部２と、ＰＤＰ１において放電が発生される際の放電電流の電流値を測定する電流検出部３とを備えており、さらに、この第１実施例のＰＤＰ装置と同様の構成に加えて、累積使用時間計数部１０を備えている。
【００６５】
この累積使用時間計数部１０は、ＰＤＰ１の累積使用時間を計数する回路であり、駆動部２の制御部２Ａと、ＰＤＰ装置の図示しない電源スイッチ部に接続されていて、ＰＤＰ装置の電源がオンされた後、オフされるまでの間の時間を計数して、その計数時間の累積値を示すＰＤＰの累積使用時間検出信号ｅの制御部２Ａへの出力を行う。
【００６６】
このＰＤＰ装置が累積使用時間計数部１０を備えるのは、ＰＤＰによっては、累積使用時間が長くなると経時的変化によって例えば放電セル内の蛍光体層を形成する蛍光材料等が劣化し、リセット放電の電流が一定になるようにして一定の放電強度を維持した場合であっても、リセット放電によって形成される黒輝度が変化してしまう場合があるので、このリセット放電時の黒輝度の経時的変化に対処するためである。
【００６７】
このＰＤＰ装置におけるＰＤＰ１と駆動部２，電流検出部３の作動は、前述した第１実施例の場合と同様である。
【００６８】
累積使用時間計数部１０は、ＰＤＰ装置の電源がオンされた後、オフされるまでの間の使用時間の計数を介してその計数時間を示すデータを保存するとともに、前回までのその計数時間の累積値を示す累積使用時間検出信号ｅを駆動部２の制御部２Ａに出力する。
【００６９】
駆動部２の制御部２Ａは、この累積使用時間計数部１０から入力された累積使用時間検出信号ｅに基づいて、維持しようとするリセット放電の電流値（例えば、図３の初期電流値Ｉｂ）の変更を行う。
【００７０】
例えば、ＰＤＰ１の累積使用時間が長くなると、リセット放電の放電電流が一定であっても蛍光体層の劣化等により黒輝度が低下するため、制御部２Ａは、累積使用時間検出信号ｅが示すＰＤＰ１の累積使用時間が一定値よりも長くなった場合に、維持しようとするリセット放電の電流値をそれまでの値よりも大きい値に変更して、リセット・パルスの目標電圧値の設定を行う。
【００７１】
例えば、図３の場合には、制御部２Ａは、維持しようとするリセット放電の電流値を、初期電流値Ｉｂよりも大きい電流値Ｉｃに変更する。
【００７２】
これによって、リセット放電の放電強度が増大されて、黒輝度を初期状態と同じほぼ一定の値に維持することが出来る。
【００７３】
また、累積使用時間が長くなると黒輝度が増加するような場合には、制御部２Ａは、上記と反対に、維持しようとするリセット放電の電流値をそれまでの値よりも小さい値（例えば、図３の電流値Ｉａ）に変更して、リセット・パルスａの目標電圧値の設定を行う。
【００７４】
これによって、リセット放電の放電強度が減少されて、黒輝度が初期状態と同じほぼ一定の値に維持される。
【００７５】
以上のように、この実施例によるＰＤＰ装置によれば、第１実施例のＰＤＰ装置が有している技術的効果に加えて、累積使用時間計数部１０を備えていることによって、ＰＤＰ装置の累積使用時間が長くなって蛍光体層の経時的劣化が生じるような場合でも、このＰＤＰ装置の累積使用時間に対応してリセット放電時の放電強度が変更されるので、リセット放電時の黒輝度を初期状態と同じほぼ一定の値に維持することが出来るようになる。
【００７６】
なお、上記の実施例においては、リセット放電の電流値を検出してこのリセット放電電流値が一定になるようにリセット・パルスの電圧値を変更する制御を行ったが、リセット放電の電力値を検出してこのリセット放電電力値が一定になるようにリセット・パルスの電圧値を変更する制御を行うようにしても良い。
【００７７】
さらに、上記の実施例において、リセット放電の電流値または電力値が、所要の範囲の値に維持されるようにしても良い。
【００７８】
上記各実施例のＰＤＰ装置は、放電空間を介して一対の基板が対向され、この一対の基板の間に放電電極が配置されているとともに、この放電空間に複数の放電セルが形成されているプラズマディスプレイパネルを備え、このプラズマディスプレイパネルの前記放電セル内において前記放電電極によって前記放電セルの初期化を行うリセット放電が発生されるプラズマディスプレイ装置であって、前記放電電極に接続されてこの放電電極に前記リセット放電を発生させるためのリセット・パルスを印加する駆動部と、この駆動部と前記放電空間に形成された任意の放電セルとに接続されてこの放電セル内で発生される前記リセット放電の電流値または電力値を検出してその値を示す検出信号を前記駆動部に出力する検出部とを備え、前記駆動部が、前記検出部から入力される電流値または電力値を示す前記検出信号に基づいて、前記放電セル内で所定の電流値または電力値を有する前記リセット放電を発生させるのに必要なリセット・パルスの電圧値を演算する制御手段と、この制御手段によって演算された電圧値を有するリセット・パルスを生成するパルス生成手段とを有しているＰＤＰ装置を、その上位概念の実施形態としている。
【００７９】
さらに、上記各実施例のＰＤＰ装置の駆動方法は、放電空間を介して一対の基板が対向され、この一対の基板の間に放電電極が配置されているとともに、この放電空間に複数の放電セルが形成されているプラズマディスプレイパネルを備え、このプラズマディスプレイパネルの放電セル内において放電電極によって放電セルの初期化を行うリセット放電が発生されるプラズマディスプレイ装置の駆動方法であって、前記放電セルのうちの任意の放電セル内で発生されるリセット放電の電流値または電力値を検出し、この検出されたリセット放電の電流値または電力値に基づいて、放電セル内で所定の電流値または電力値を有するリセット放電を発生させるのに必要なリセット・パルスの電圧値を演算し、この演算された電圧値を有するリセット・パルスを生成して放電電極に印加するＰＤＰ装置の駆動方法を、その上位概念の実施形態としている。
【００８０】
上記上位概念を構成する実施形態のＰＤＰ装置およびその駆動方法は、ＰＤＰ装置の駆動時にリセット放電の電流値が検出されて、この検出した放電電流値または放電電力値が例えばＰＤＰ装置の製造時の初期値等の所定の値と異なっている場合には、これから発生されるリセット放電の電流値または電力値が所定の値とほぼ同じ大きさになるようにＰＤＰに印加されるリセット・パルスの電圧値が変更されるので、例えば経時的変化や温度変化によってＰＤＰの製造時当初の放電特性が変化しているような場合でも、リセット放電の放電強度が常にほぼ一定に保持されて、リセット放電によって形成されるパネルの暗コントラストが一定なり、ＰＤＰにおける画像の高い表示品質をさらに維持することが出来る。
【図面の簡単な説明】
【００８１】
【図１】従来例を示すＰＤＰのパルス出力タイミング・チャートである。
【図２】この発明の実施形態における第１実施例を模式的に示すブロック図である。
【図３】図２のさらに詳細な構成を示すブロック図である。
【図４】同実施例における目標電圧値を演算するための変換関数を模式的に示すグラフである。
【図５】この発明の実施形態における第２実施例を模式的に示すブロック図である。
【図６】図５のさらに詳細な構成を示すブロック図である。
【符号の説明】
【００８２】
１      …ＰＤＰ
１ｃ    …放電セル
２      …駆動部
２Ａ    …制御部（制御手段）
２Ｂ    …リセット・パルス電源回路
２Ｃ    …リセット・パルス発生回路（パルス発生回路）
３      …電流検出部
１０    …累積使用時間計数部
Ｄ      …変換関数を示す直線グラフ
ａ      …リセット・パルス
ｂ      …リセット放電電流値の検出信号
ｃ      …演算値設定信号
ｄ      …電源
ｅ      …累積使用時間検出信号
【図１】
2010008694.tif 000003
【図２】
2010008694.tif 000004
【図３】
2010008694.tif 000005
【図４】
2010008694.tif 000006
【図５】
2010008694.tif 000007
【図６】
2010008694.tif 000008